(57)【要約】【課題】本発明は、広告等が表記されたシートをが引出可能に外筒本体内に収納したボールペンなどの筆記具に関する。【解決手段】  外筒本体に形成されたスリットが、下端に幅広に拡開された係止受部を有しており、内筒が、外筒本体に対して回転しないように拘束される固定筒部と、外筒本体に拘束されずに回転可能な回転筒部からなっており、該固定筒部と回転筒部の中空内には両者を連結するコイルスプリングが内蔵されており、シートが前記回転筒部の外周壁に沿って巻き付けられており、前記コイルスプリングの付勢力で巻き戻されることを特徴とする。【選択図】  図１
2006321131.tif 000002
【特許請求の範囲】
【請求項１】
ボールペンなどの筆記具の外筒本体に長さ方向に伸びて上端が閉じ下端が開放されたスリットが形成されており、該スリットからケーシングとなる外筒本体に収納された内筒に巻き付けられたシートを引出した際に巻き戻す巻き戻し装置を内蔵した筆記具において、
巻き戻し装置が、筆記具のケーシングとなる外筒に挿入される内筒からなっており、
内筒が、外筒本体に対して回転しないように拘束される固定筒部と、該固定筒部の延長方向に伸びて外筒本体の内壁面とは接触しない回転筒部からなっており、
該固定筒部と回転筒部の中空内には、下端が前記固定筒部に固定され上端が回転筒部の上方に固定されて、前記回転筒部が回転した際に回転筒部を巻き戻し方向に付勢するコイルスプリングを内蔵していることを特徴とする筆記具。
【請求項２】
スリットが、下端に幅広に拡開された係止受部を有しており、
固定筒部が、前記係止受部に下方から挿入して係合される係合片部を外壁に有して外筒本体に対して回転しないように拘束されており、
コイルスプリングの中空内には外筒本体に挿入される筆記部の軸芯部が挿入可能となっていることを特徴とする請求項１に記載の筆記具。
【請求項３】
筆記具が、外筒本体と、内筒と、前記外筒本体の下端に螺合され、下方に向かって徐々に縮径する先端筒部と、
該先端筒部から突出する芯先部を有し先端筒部と前記内筒に内蔵されたコイルスプリングの中空に下方から挿入される軸芯部と、
前記内筒の上部に掛け止められると共に外筒本体の上部に突出する作動ノブとからなることを特徴とする請求項１に記載の筆記具。
【請求項４】
作動ノブが、内筒の上方から挿入され中途位置に設けられた突部によって内筒上部に掛止められる中継部材と、該中継部材に上から外嵌され下端に外方へ突出する掛止突部を有する筒状のキャップ部とからなっており、
該キャップ部を貫挿して外筒本体の上部に着脱可能に嵌合するクリップ部に、前記キャップ部の掛止突部と衝合してキャップ部が外方へ抜け出ないように拘束するストッパが形成されてなることを特徴とする請求項２に記載の筆記具。
【発明の詳細な説明】
【技術分野】
【０００１】
本発明は、広告等が表記されたシートを引出可能に外筒本体内に収納したボールペンなどの筆記具に関する。
【背景技術】
【０００２】
従来、ボールペン等の筆記具において、軸筒内に設けられた筆記体にシートの一端を止着して巻き付け、シートを引き出すことで、シートに記載された広告や漢字・英単語等を閲覧可能とした構造として、例えば実開昭５８−３８８９２号や実開平２−９７０８９号が知られている。
しかし、これらの構造では、引き出したシートを巻き戻して軸筒内に収納する場合に、手動で巻き戻すため、操作が煩雑となる欠点があった。
【特許文献１】実開昭５８−３８８９２号公報
【特許文献２】実開平２−９７０８９号公報
【発明の開示】
【発明が解決しようとする課題】
【０００３】
この発明は上記事情に鑑みて創案されたものであって、その主たる課題は、筆記具から引き出したシートをコイルスプリングの付勢力で自動的に巻き取り収納しうるようにした筆記具を提供することにある。
また、この発明では、簡単な構成でシートの巻き取りを行うことができるので、大型化する必要のない筆記具を提供することにある。
【課題を解決するための手段】
【０００４】
上記課題を解決するために、請求項１の発明では、
ボールペンなどの筆記具の外筒本体に長さ方向に伸びて上端が閉じ下端が開放されたスリットが形成されており、該スリットからケーシングとなる外筒本体に収納された内筒に巻き付けられたシートを引出した際に巻き戻す巻き戻し装置を内蔵した筆記具において、
巻き戻し装置が、筆記具のケーシングとなる外筒に挿入される内筒からなっており、
内筒が、外筒本体に対して回転しないように拘束される固定筒部と、該固定筒部の延長方向に伸びて外筒本体の内壁面とは接触しない回転筒部からなっており、
該固定筒部と回転筒部の中空内には、下端が前記固定筒部に固定され上端が回転筒部の上方に固定されて、前記回転筒部が回転した際に回転筒部を巻き戻し方向に付勢するコイルスプリングを内蔵していることを特徴とする。
また、請求項２の発明では、
前記スリットが、下端に幅広に拡開された係止受部を有しており、
前記固定筒部が、前記係止受部に下方から挿入して係合される係合片部を外壁に有して外筒本体に対して回転しないように拘束されており、
前記コイルスプリングの中空内には外筒本体に挿入される筆記部の軸芯部が挿入可能となっていることを特徴とする。
【０００５】
また、請求項３の発明では、
前記筆記具が、外筒本体と、内筒と、前記外筒本体の下端に螺合され、下方に向かって徐々に縮径する先端筒部と、
該先端筒部から突出する芯先部を有し先端筒部と前記内筒に内蔵されたコイルスプリングの中空に下方から挿入される芯部と、
前記内筒の上部に掛け止められると共に外筒本体の上部に突出する作動ノブとからなることを特徴とする。
更に、請求項４の発明では、
前記作動ノブが、内筒の上方から挿入され中途位置に設けられた突部によって内筒上部に掛止められる中継部材と、該中継部材に上から外嵌され下端に外方へ突出する掛止突部を有する筒状のキャップ部とからなっており、
該キャップ部を貫挿して外筒本体の上部に着脱可能に嵌合するクリップ部に、前記キャップ部の掛止突部と衝合してキャップ部が外方へ抜け出ないように拘束するストッパが形成されてなることを特徴とする。
【発明の効果】
【０００６】
本発明の筆記具は、内筒を二分割し、内筒の内部に内蔵したコイルスプリングで両者を連結して一方の固定筒部を外筒本体に拘束し、他方の回転筒部を復帰可能に回転しうるようにしたので、外筒本体を大型化する必要がなく、引き出されたシートの巻き戻しをコイルスプリングの付勢力を利用して自動的に行うことができるという特段の効果を奏する。
【発明を実施するための最良の形態】
【０００７】
以下にのこの発明の筆記具をボールペンに適用した場合の好適実施例について図面を参照しながら説明する。
【実施例１】
【０００８】
筆記具１は、図１及び図５に示すように、スリット１０を有する外筒本体２と、該外筒本体２に内蔵される内筒３と、内筒３に巻き付けられて先端が前記スリットから突出するシート４と、前記外筒本体２の下端に螺合され、下方に向かって徐々に小径となる先端筒部５と、該先端筒部５から突出する芯先部６ａを有し先端筒部５と前記内筒３に内蔵されると共にバネ７で付勢された軸芯部６と、外筒本体２の上部に先端が突出しており軸芯部６をバネ７の反発力に抗して押し下げる作動ノブ８と、前記外筒本体２に嵌着すると共に作動ノブ８の上方への抜け止めをするクリップ９とを有する基本構成からなっている。
【０００９】
［外筒本体］
外筒本体２は、図３および図５（ｃ）に示すように、下部に中央の本体部分２０よりやや小径で外周壁にネジを形成した下部ネジ筒部２１を有し、上部に中央の本体部分２０よりやや小径のクリップ嵌着部２２を有する筒体からなっている。
この外筒本体２には、外筒本体２の長さ方向に伸びて上端が閉じ下端が開放されたスリット１０が形成されている。
【００１０】
［スリット］
該スリット１０は、本体部分２０の全長にわたり長さ方向に直線状に伸びて上端がクリップ嵌着部２２で閉じられた幅狭なスリット本体１０ａと、その延長上で下部ネジ筒部２１で開口が幅広に拡開されて下端まで延びる係止受部１０ｂとが一連に形成されている。
【００１１】
［内筒］
内筒３は、図４、図５（ｂ）および図７に示すように、筒体を下方よりで二分割して、短い方を固定筒部３１とし、長い方を回転筒部３２としている。
固定筒部３１は、その外壁に、前記係止受部１０ｂに嵌合可能な係合片部３１ａを突設している。
【００１２】
また、回転筒部３２にはシート４の基端が固着されており、回転筒部３２の外周壁に沿って巻き付けられており、該シート４の先端には前記スリット１０の外側でスリット本体１０ａの横幅より幅広に設定されてスリット１０内に引き込まれないようにした摘み部４ａが設けられている。
ここでシートは可撓性を有する紙やプラスチックなどのシートからなっており、表面およびまたは裏面に広告などの適宜情報が印刷などによって表示されている。
【００１３】
［コイルスプリング］
一方、回転筒部３２は、図６に示すように、上下両端に鍔部３２ａ、３２ｂを有しており、上端の鍔部３２ａには該回転筒部３２に拡張した状態で内蔵されるコイルスプリング１１の上端が掛止または固定されている。
このコイルスプリング１１の下端は回転筒部３２内を通って固定筒部３１に掛止または固定されている。
【００１４】
本実施例ではコイルスプリング１１の両端に環状のフランジを有する筒体が固定されており、コイルスプリング１１の上端に固定された筒体のフランジＦ１が回転筒部３２の上端の鍔部３２ａに掛け止められ、コイルスプリング１１の下端に固定された筒体のフランジＦ２が固定筒部３１の内側段部に掛け止められている。
【００１５】
上記構成からなっているので、内筒３を外筒本体２に挿入し、固定筒部３２をスリット１０の係止受部１０ｂに下から嵌合することで、固定筒部３２が外筒本体２に拘束され、軸線を中心とした周方向に回転不能に拘束される。
一方、回転筒部３２は外筒本体２の内壁と接することもなく回転可能に保持される。
【００１６】
［軸芯部］
そして、コイルスプリング１１の中空内には、外筒本体２に挿入される筆記部の軸芯部（カートリッジ部）６が挿入されるようになっているので、軸芯部６を短くする必要がなく、既存の替え芯を用いることができる。
【００１７】
この軸芯部６は、下端に芯先部６ａを有しており、中途位置にストッパ突部６ｂを突設している。
従って、芯先部６ａからストッパ突部６ｂまでの間にコイル状のバネ７を外嵌して、先端筒部５をリングＬを介して外筒本体２の下部ネジ筒部２１に螺着することで、軸芯部６を先端筒部５内に収納する待機方向に付勢しうる公知の構成となっている。
【００１８】
［作動ノブ］
作動ノブ８は、本実施例の場合、内筒３の上方から挿入され中途位置に設けられた突部８１によって回転筒部３２の上端の鍔部３２ａに掛止められる中継部材８Ａと、該中継部材８Ａに上から外嵌され下端に外方へ突出する掛止突部８２を有する筒状のキャップ部８Ｂとからなっている。
【００１９】
そして、中継部材８Ａにはその中途位置で外周壁から外方へ向かって放射状に突出すると共に、前記回転筒部３２の上端鍔部３２ａに掛止められる突部８１を突設しており、作動ノブ８の下方への力を内筒３に伝達しうるようになっている。
また、キャップ部８Ｂには、その下端に前記突部８１に上から係合する係合歯部８２を有し、該係合歯部８２の上部にはその外周壁から外方へ向かって放射状に突出すると共に、後述のクリップ部９によって拘束される掛止突部８３を突設している。
【００２０】
［クリップ部］
クリップ部９は、前記キャップ部８Ｂを貫挿して外筒本体２のクリップ嵌着部２２に着脱可能に嵌合する略筒状の嵌合部９ａと、該嵌合部９ａから下方へ延びるクリップ本体９ｂとからなっている。
嵌合部９ａの上部開口には内側に環状に張り出す係止壁により中央の孔が前記キャップ部８Ｂを挿通可能な径に設定されている。
キャップ部８Ｂは下部に掛止突部８３を有しているので、上記孔から抜け出ることがないように拘束される。
【００２１】
［組立方法］
筆記具１の組立に際しては、図５（ｃ）に示す外筒本体２に、図５（ｂ）に示す内筒３を挿入し、その際にシート４の摘み部４ａはスリット１０の外へ出るようにする。
そして、固定筒部３１の係合片部３１ａをスリット１０の係止受部１０ｂに嵌め込んで固定筒部３１の回転を拘束した状態で外筒本体２に内筒３を取り付ける。
【００２２】
次いで、図５（ａ）の軸芯部６の上部を図５（ｂ）の内筒３のコイルスプリング１１の中空内に挿入すると、ストッパ突部６ａが、固定筒部３１に固定するためのコイルスプリング１１の下端に固定されたフランジＦ２に下から衝合してそれ以上の挿入が拘束される（図６参照）。
そこで、図５（ａ）に示すように、バネ７を芯先部６ａから挿入して外嵌し上端をストッパ突部６ａに掛止めた状態で先端筒部５を下部ネジ筒部２１に螺着し、前記バネ７により軸芯部６を収納方向に付勢する。
【００２３】
また、図５（ｂ）および図６に示すように、回転筒部３２の上部開口には作動ノブ８の中継部材８Ａを上から挿入し突部８１で掛止め、その上にキャップ部８Ｂを外嵌する。
更に、キャップ部８Ｂを孔から通してクリップ部９の嵌合部９ａをクリップ嵌着部２２に嵌合して作動ノブ８が抜け出ず押し下げ可能となるように拘束して組立が完了する。  
【００２４】
［使用法］
上記構成からなっているので、使用時には、スリット１０の外側に出ているシート４の摘み部４ａを引っ張ってシート４を外側に引き出すと、前記回転筒部３２がコイルスプリング１１の付勢力に抗して回転し、反発力を高めながらシート４が展開して閲覧に供される（図２参照）。
不使用時には、摘み部４ａを手から離すことにより、展開されたシート４は前記コイルスプリング１１の反発力で回転筒部３２を逆回転させて、引き出されたシート４を回転筒部３２の外周壁に沿って自動的に巻き付ける（図１参照）。
【００２５】
上記実施例では、筆記具としてボールペンの場合を例示したが、水性ペンやシャープペンシル、あるいはスタイラスペンなどであってもよい。
その他、要するにこの発明の要旨を変更しない範囲で種々設計変更しうること勿論である。
【図面の簡単な説明】
【００２６】
【図１】本発明の筆記具の実施例の正面図である。
【図２】筆記具からシートを引き出した状態を示す正面図である。
【図３】外筒本体の正面図である。
【図４】内筒の正面図である。
【図５】筆記具の分解図であって、（ａ）は先端筒部と軸芯部、（ｂ）は内筒と作動ノブ、（ｃ）は外筒本体とクリップ部を示す。
【図６】内部構造の要部を示す拡大断面図である。
【図７】（ａ）は内筒のシートを省略した状態の側面から見た断面図、（ｂ）は底面図である。
【符号の説明】
【００２７】
１    筆記具
２    外筒本体
３    内筒
４    シート
５    先端筒部
６    軸芯部
６ａ  芯先部
７    バネ
８    作動ノブ
８Ａ  中継部材
８Ｂ  キャップ部
９    クリップ部
９ａ  嵌合部
９ｂ  クリップ本体
１０    スリット
１０ｂ  係止受部
１１    コイルスプリング
３１    固定筒部
３２    回転筒部
【図１】
2006321131.tif 000003
【図２】
2006321131.tif 000004
【図３】
2006321131.tif 000005
【図４】
2006321131.tif 000006
【図５】
2006321131.tif 000007
【図６】
2006321131.tif 000008
【図７】
2006321131.tif 000009